【手続補正書】
【提出日】平成19年9月28日(2007.9.28)
【手続補正１】
【補正対象書類名】明細書
【補正対象項目名】特許請求の範囲
【補正方法】変更
【補正の内容】
【特許請求の範囲】
【請求項１】  熱エネルギーによりインクを吐出するための記録素子を夫々に備える第１及び第２の回路基板を共通のベース基板に備えた記録ヘッドを用いて記録を行う記録装置であって、
駆動パルスを印加することにより前記第１及び第２の回路基板夫々に備えられた記録素子を駆動する駆動手段と、
前記第１及び第２の回路夫々に印加される駆動パルスの数を別々に計数する計数手段と、
前記計数手段による計数結果に基づいて、前記共通ベース基板の温度変化、前記第１の回路基板と前記共通ベース基板との温度変化の差分、及び前記第２の回路基板と前記共通ベース基板との温度変化の差分を推定し、当該推定結果に基づいて、前記第１及び第２の回路基板夫々の温度変化を推定する推定手段とを有することを特徴とする記録装置。
【請求項２】  前記計数手段による計数結果に基づいて、前記第１の回路基板、前記第２の回路基板、及び、前記ベース基板夫々に投入されるエネルギー量を算出する算出手段をさらに有し、
前記推定手段は、前記算出手段による算出結果に基づいて、前記共通ベース基板の温度変化、前記第１の回路基板と前記共通ベース基板との温度変化の差分、及び前記第２の回路基板と前記共通ベース基板との温度変化の差分を推定することを特徴とする請求項１に記載の記録装置。
【請求項３】  前記推定手段によって推定された温度変化に基づいて、前記駆動パルスを変調して前記記録素子を駆動する変調駆動手段をさらに有することを特徴とする請求項１又は２に記載の記録装置。
【請求項４】  前記推定手段による温度変化の推定は所定時間間隔毎に行うことを特徴とする請求項１乃至３のいずれか１項に記載の記録装置。
【請求項５】  前記算出手段は、
前記第１の回路基板に印加された駆動パルスの数に基づいて、前記第１の回路基板と前記共通ベース基板との温度変化の差分に寄与する第１のエネルギー量と、前記ベース基板の温度変化に寄与する第２のエネルギー量とを算出する第１のエネルギー量算出手段と、
前記第２の回路基板に印加された駆動パルスの数に基づいて、前記第２の回路基板と前記共通ベース基板との温度変化の差分に寄与する第３のエネルギー量と、前記ベース基板の温度変化に寄与する第４のエネルギー量とを算出する第２のエネルギー量算出手段とを有することを特徴とする請求項４に記載の記録装置。
【請求項６】  前記推定手段は、
前記第２及び第４のエネルギー量と、前記所定時間前に前記推定手段によって推定された前記ベース基板の温度変化とに基づいて、前記ベース基板の温度変化を推定する第１の温度推定手段と、
前記第１のエネルギー量と、前記所定時間前に前記推定手段によって推定された前記第１の回路基板と前記ベース基板との温度変化の差分とに基づいて、前記第１の回路基板と前記ベース基板との温度変化の差分を推定する第２の温度推定手段と、
前記第３のエネルギー量と、前記所定時間前に前記推定手段によって推定された前記第２の回路基板と前記ベース基板との温度変化の差分とに基づいて、前記第２の回路基板と前記ベース基板との温度変化の差分を推定する第３の温度推定手段とを有することを特徴とする請求項５に記載の記録装置。
【請求項７】  前記第１のエネルギー算出手段には、前記第１及び第２のエネルギー量を得るための第１のルックアップテーブルを用い、
前記第２のエネルギー量算出手段には、前記第３及び第４のエネルギー量を得るための第２のルックアップテーブルを用いることを特徴とする請求項５に記載の記録装置。
【請求項８】  前記計数手段は、
第１の時間間隔で前記第１の回路基板に印加された駆動パルスの数を計数する第１のパルス計数手段と、
前記第１の時間間隔よりも長い第２の時間間隔で前記第１の回路基板に印加された駆動パルスの数を計数する第２のパルス計数手段と、
前記第１の時間間隔で前記第２の回路基板に印加された駆動パルスの数を計数する第３のパルス計数手段と、
前記第２の時間間隔で前記第２の回路基板に印加された駆動パルスの数を計数する第４のパルス計数手段とを有することを特徴とする請求項１に記載の記録装置。
【請求項９】  前記推定手段は、複数の熱時定数に夫々対応する、前記共通ベース基板の温度変化、前記第１の回路基板と前記共通ベース基板との温度変化の差分、及び前記第２の回路基板と前記共通ベース基板との温度変化の差分を推定することを特徴とする請求項１に記載の記録装置。
【請求項１０】  前記変調駆動手段は、前記推定手段によって推定された前記第１及び第２の回路基板の温度変化夫々に基づいて、ダブルパルス制御により前記第１及び第２の回路基板の記録素子を駆動することを特徴とする請求項３に記載の記録装置。
【請求項１１】  前記記録ヘッドの周囲温度を検出する検出手段をさらに有し、
前記変調駆動手段は、前記検出手段によって検出される周囲温度に基づいて、前記記録素子の駆動を制御することを特徴とする請求項３に記載の記録装置。
【請求項１２】  前記第１及び第２の回路基板の温度を一定温度範囲に維持するための保温用ヒータと、
前記検出手段によって検出される記録ヘッドの周囲温度に基づいて、前記保温用ヒータを駆動する保温用ヒータ駆動手段とをさらに有することを特徴とする請求項１１に記載の記録装置。
【請求項１３】  前記推定手段は、前記保温用ヒータの駆動によって発生する熱量を考慮して、温度変化の推定を行うことを特徴とする請求項１２に記載の記録装置。
【請求項１４】  熱エネルギーによりインクを吐出するための記録素子を夫々に備える第１及び第２の回路基板を共通のベース基板に備えた記録ヘッドの温度を推定する温度推定方法であって、
駆動パルスを印加することにより前記第１及び第２の回路基板夫々に備えられた複数の記録素子を駆動する駆動工程と、
前記第１及び第２の回路基板夫々に印加される駆動パルスの数を別々に計数する計数工程と、
前記計数工程における計数結果に基づいて、前記共通ベース基板の温度変化と、前記第１の回路基板と前記共通ベース基板との温度変化の差分と、前記第２の回路基板と前記共通ベース基板との温度変化の差分とを推定する第１の推定工程と、
前記第１の推定工程における推定結果に基づいて、前記第１及び第２の回路基板夫々の温度変化を推定する第２の推定工程とを有することを特徴とする温度推定方法。
【手続補正２】
【補正対象書類名】明細書
【補正対象項目名】００１１
【補正方法】変更
【補正の内容】
【００１１】
即ち、熱エネルギーによりインクを吐出するための記録素子を夫々に備える第１及び第２の回路基板を共通のベース基板に備えた記録ヘッドを用いて記録を行う記録装置であって、駆動パルスを印加することにより前記第１及び第２の回路基板夫々に備えられた記録素子を駆動する駆動手段と、前記第１及び第２の回路夫々に印加される駆動パルスの数を別々に計数する計数手段と、前記計数手段による計数結果に基づいて、前記共通ベース基板の温度変化、前記第１の回路基板と前記共通ベース基板との温度変化の差分、及び前記第２の回路基板と前記共通ベース基板との温度変化の差分を推定し、当該推定結果に基づいて、前記第１及び第２の回路基板夫々の温度変化を推定する推定手段とを有することを特徴とする記録装置を備える。
【手続補正３】
【補正対象書類名】明細書
【補正対象項目名】００１２
【補正方法】変更
【補正の内容】
【００１２】
さらに前記計数手段による計数結果に基づいて、前記第１の回路基板、前記第２の回路基板、及び、前記ベース基板夫々に投入されるエネルギー量を算出する算出手段を有し、前記推定手段は、前記算出手段による算出結果に基づいて、前記共通ベース基板の温度変化、前記第１の回路基板と前記共通ベース基板との温度変化の差分、及び前記第２の回路基板と前記共通ベース基板との温度変化の差分を推定することが望ましく、さらに、前記推定手段によって推定された温度変化に基づいて、前記駆動パルスを変調して前記記録素子を駆動する変調駆動手段を備えることが望ましい。
ここで、前記推定手段による温度変化の推定は所定時間間隔毎に行うことが望ましい。
【手続補正４】
【補正対象書類名】明細書
【補正対象項目名】００１３
【補正方法】変更
【補正の内容】
【００１３】
さて、１つの実施態様として、前記算出手段は、第１の回路基板に印加された駆動パルスの数に基づいて、第１の回路基板と共通ベース基板との温度変化の差分に寄与する第１のエネルギー量と、ベース基板の温度変化に寄与する第２のエネルギー量とを算出し、第２の回路基板に印加された駆動パルスの数に基づいて、第２の回路基板と共通ベース基板との温度変化の差分に寄与する第３のエネルギー量と、ベース基板の温度変化に寄与する第４のエネルギー量とを算出することが望ましい。
【手続補正５】
【補正対象書類名】明細書
【補正対象項目名】００１４
【補正方法】変更
【補正の内容】
【００１４】
さらに、前記推定手段では、第２及び第４のエネルギー量と、前記所定時間前に推定手段によって推定されたベース基板の温度変化とに基づいて、ベース基板の温度変化を推定し、第１のエネルギー量と、前記所定時間前に推定手段によって推定された第１の回路基板とベース基板との温度変化の差分とに基づいて、第１の回路基板とベース基板との温度変化の差分を推定し、第３のエネルギー量と、前記所定時間前に推定手段によって推定された第２の回路基板とベース基板との温度変化の差分とに基づいて、第２の回路基板とベース基板との温度変化の差分を推定すると良い。
【手続補正６】
【補正対象書類名】明細書
【補正対象項目名】００１５
【補正方法】変更
【補正の内容】
【００１５】
このような場合、第１及び第２のエネルギー量を得るための第１のルックアップテーブルを用い、第３及び第４のエネルギー量を得るための第２のルックアップテーブルを用いると良い。
【手続補正７】
【補正対象書類名】明細書
【補正対象項目名】００１６
【補正方法】変更
【補正の内容】
【００１６】
また、別の実施態様として、前記計数手段は、（１）第１の時間間隔で前記第１の回路基板に印加された駆動パルスの数を計数し、（２）第１の時間間隔よりも長い第２の時間間隔で第１の回路基板に印加された駆動パルスの数を計数し、（３）第１の時間間隔で第２の回路基板に印加された駆動パルスの数を計数し、（４）第２の時間間隔で第２の回路基板に印加された駆動パルスの数を計数して、温度推定を行なうこともできる。
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】変更
【補正の内容】
【００１９】
さて、前記変調駆動手段は、推定された第１及び第２の回路基板の温度変化夫々に基づいて、ダブルパルス制御により第１及び第２の回路基板の記録素子を駆動することが望ましい。
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】変更
【補正の内容】
【００２２】
さらに、前記記録ヘッドの周囲温度を検出し、その検出される周囲温度に基づいて、記録素子の駆動を制御することが好ましい。
【手続補正１４】
【補正対象書類名】明細書
【補正対象項目名】００２３
【補正方法】変更
【補正の内容】
【００２３】
またさらに、前記第１及び第２の回路基板の温度を一定温度範囲に維持するための保温用ヒータと、検出される記録ヘッドの周囲温度に基づいて、前記保温用ヒータを駆動する手段とを備えても良い。
【手続補正１５】
【補正対象書類名】明細書
【補正対象項目名】００２４
【補正方法】変更
【補正の内容】
【００２４】
従って、前記推定手段では、保温用ヒータの駆動によって発生する熱量を考慮して、温度変化の推定を行うことが望ましい。
【手続補正１６】
【補正対象書類名】明細書
【補正対象項目名】００２５
【補正方法】変更
【補正の内容】
【００２５】
また他の発明に従えば、熱エネルギーによりインクを吐出するための記録素子を夫々に備える第１及び第２の回路基板を共通のベース基板に備えた記録ヘッドの温度を推定する温度推定方法であって、駆動パルスを印加することにより前記第１及び第２の回路基板夫々に備えられた複数の記録素子を駆動する駆動工程と、前記第１及び第２の回路基板夫々に印加される駆動パルスの数を別々に計数する計数工程と、前記計数工程における計数結果に基づいて、前記共通ベース基板の温度変化と、前記第１の回路基板と前記共通ベース基板との温度変化の差分と、前記第２の回路基板と前記共通ベース基板との温度変化の差分とを推定する第１の推定工程と、前記第１の推定工程における推定結果に基づいて、前記第１及び第２の回路基板夫々の温度変化を推定する第２の推定工程とを有することを特徴とする温度推定方法を備える。
【手続補正１７】
【補正対象書類名】明細書
【補正対象項目名】００２６
【補正方法】削除
【補正の内容】